(57)【要約】【課題】複雑な形状の車両ウィンドウのガラスを覆って遮光できない範囲をできるだけ小さくすることができ、かつ未使用の遮光板の格納体積を小さくできる遮光装置を提供する。【解決手段】横方向に長い略同一形状の複数の遮光板１０を展開して遮光領域を形成する展開位置と、複数の遮光板１０を重畳して格納する格納位置との間を移動可能な遮光装置１を、複数の遮光板１０の両端側に設けられた第１摺動部２０，第２摺動部３０と、第１摺動部２０を保持する第１ハウジング４０と、第２摺動部３０を保持する第２ハウジング５０と、第１摺動部２０を駆動させるための駆動手段を備え、複数の遮光板１０の両端は、同一の仮想中心軸Ｐから同一方向に位置する離間した円弧Ｘ−Ｘ，Ｙ−Ｙ上を移動するように構成した。【選択図】図１１
2008265622.tif 000002
【特許請求の範囲】
【請求項１】
横方向に長い略同一形状の複数の遮光板を展開して遮光領域を形成する展開位置と、前記複数の遮光板を重畳して格納する格納位置との間を移動可能な遮光装置であって、
前記複数の遮光板の両端側に設けられた摺動部と、該摺動部を保持する保持部と、前記摺動部を駆動させるための駆動手段を備え、
前記複数の遮光板の両端は、同一の仮想中心軸から同一方向に位置する離間した円弧上を移動することを特徴とする遮光装置。
【請求項２】
横方向に長い略同一形状の複数の遮光板を展開して遮光領域を形成する展開位置と、前記複数の遮光板を重畳して格納する格納位置との間を移動可能な遮光装置であって、
前記複数の遮光板の両端側に設けられた摺動部と、該摺動部を保持する保持部と、前記摺動部を駆動させるための駆動手段を備え、
前記複数の遮光板の両端は、同一の仮想中心軸から同一方向に位置する離間した円弧上を移動し、
前記摺動部は、前記複数の遮光板の前記仮想中心軸から遠い端部側に設けられた複数の第１スライダからなる第１摺動部と、前記複数の遮光板の前記仮想中心軸に近い端部側に設けられた複数の第２スライダからなる第２摺動部とからなり、
前記第１スライダ及び前記第２スライダは、隣接するスライダと常時少なくとも一部が重合することを特徴とする遮光装置。
【請求項３】
前記第１スライダ及び前記第２スライダは、前記遮光板と一体に形成されていることを特徴とする請求項２記載の遮光装置。
【請求項４】
前記保持部は、前記複数の第１スライダを保持する第１ハウジングと、前記複数の第２スライダを保持する第２ハウジングからなり、
前記第１ハウジングには、前記第１スライダの厚さと略同一の高さの段差を有する複数の階段状の段差面が形成され、
前記第２ハウジングには、前記第２スライダの厚さと略同一の高さの段差を有する複数の階段状の段差面が形成され、
前記第１ハウジングに形成された前記複数の段差面の前記仮想中心軸と反対側に位置する端辺が、前記仮想中心軸を中心とした円弧状に形成されていることを特徴とする請求項２又は３記載の遮光装置。
【請求項５】
前記駆動手段は、前記第１摺動部に設けられた駆動手段連結部により前記第１摺動部と連結され、前記第１摺動部の移動に追従して前記第２摺動部が移動することを特徴とする請求項２に記載の遮光装置。
【請求項６】
前記駆動手段はモータを備えること特徴とする請求項１，２，５のいずれか１項に記載の遮光装置。
【請求項７】
前記遮光板は、前記仮想中心軸側に向けて幅が徐々に狭くなる形状を有することを特徴とする請求項１〜３のいずれか１項に記載の遮光装置。
【請求項８】
前記遮光装置は、前記遮光板が車両のドアウィンドウの上端の形状と近似した形状に形成され、前記仮想中心軸から遠い端部側が車両のドアウィンドウの後方に配置され、前記遮仮想中心軸に近い端部側が車両のドアウィンドウの前方に配置されることを特徴とする請求項１〜３，７のいずれか１項に記載の遮光装置。
【発明の詳細な説明】
【技術分野】
【０００１】
本発明は遮光装置に係り、特に車両のドアウィンドウの遮光に適する遮光装置に関する。
【背景技術】
【０００２】
従来、車両用サンバイザとして、車両のフロントウィンドウの上方に取付けられた横長板状の遮光板が広く用いられている。この車両用サンバイザは、前方向の遮光と横方向の遮光を同一の遮光板で行うものであり、その切り替えを手動で行う必要があった。また、切り替え時に遮光板が頭部前方で大きな半径の円運動を行うため、頭部を避けて回動操作する必要があった。そこで、そのような前方向と横方向の切り替えが不要であり、未使用時には収納可能な車両用サンバイザが提案されている（例えば、特許文献１、特許文献２参照）。
【０００３】
【特許文献１】特開平７−２７６９８０号公報（図１、図６）
【特許文献２】特開平８−８５３３８号公報（図１、図５）
【０００４】
特許文献１に記載の車両用サンバイザは、横方向に長い帯板状の複数枚の遮光板を連結し、各遮光板の相互の対向面に多極磁石板を付設して、その相互の磁力により吸着力が作用するように構成されており、遮光板を上下方向にスライドさせて遮光する技術である。
また、特許文献２に記載のサンシェイドは、広げたときに扇形になる日よけ部材を広げて、日よけ部材の先端を係止部材に固定して遮光する技術である。
【発明の開示】
【発明が解決しようとする課題】
【０００５】
しかしながら、特許文献１及び特許文献２に記載の車両用サンバイザでは、複雑な形状をしている車両ウィンドウのガラスに取付けた場合には、広げたサンバイザで覆うことのできない範囲があり、遮光できない領域ができてしまうという問題があった。特にドアウィンドウは、後方が略矩形で前方が三角形に近い形状をしており、形状が複雑であるため、矩形や扇形のサンバイザでは遮光できない領域ができ、不都合であった。
【０００６】
本発明の目的は、上記課題に鑑み、前方向と横方向の切り替えという煩わしい作業を介すことなく、複雑な形状の車両ウィンドウのガラスを覆って遮光できない範囲をできるだけ小さくすることができ、かつ未使用の遮光板の格納体積を小さくできる遮光装置を提供することにある。
【課題を解決するための手段】
【０００７】
前記課題は、請求項１の遮光装置によれば、横方向に長い略同一形状の複数の遮光板を展開して遮光領域を形成する展開位置と、前記複数の遮光板を重畳して格納する格納位置との間を移動可能な遮光装置であって、前記複数の遮光板の両端側に設けられた摺動部と、該摺動部を保持する保持部と、前記摺動部を駆動させるための駆動手段を備え、前記複数の遮光板の両端は、同一の仮想中心軸から同一方向に位置する離間した円弧上を移動することにより解決される。
【０００８】
このように、請求項１の遮光装置は、遮光板の両端側に設けられた摺動部を駆動させて遮光板の両端が同一仮想中心軸の異なる円弧上をそれぞれ円弧移動するので、遮光板が格納位置から展開位置に移動するとき、仮想中心軸から遠い側の端部が大きい円弧上を円弧移動し、仮想中心軸に近い側の端部が小さい円弧上を円弧移動する。この両端部の円弧移動により、遮光板の一方の端部側の展開領域が広く、他方の端部側の展開領域が狭く展開され、一方の端部側が略矩形をなし、他方の端部側が略三角形をなす形状の遮光領域を形成することができる。このとき、仮想中心軸の位置及び各円弧の径を適切に設定することにより、遮光板展開領域を所望の遮光領域形状に近づけることができるため、遮光できない範囲を小さくすることができ、遮光板の面積を有効活用できる。
また、遮光板を横方向に長い同一形状の部材で形成したので、未使用時には遮光板を重畳させて格納することで、格納時の体積を小さくすることができる。
【０００９】
前記課題は、請求項２の遮光装置によれば、横方向に長い略同一形状の複数の遮光板を展開して遮光領域を形成する展開位置と、前記複数の遮光板を重畳して格納する格納位置との間を移動可能な遮光装置であって、前記複数の遮光板の両端側に設けられた摺動部と、該摺動部を保持する保持部と、前記摺動部を駆動させるための駆動手段を備え、前記複数の遮光板の両端は、同一の仮想中心軸から同一方向に位置する離間した円弧上を移動し、前記摺動部は、前記複数の遮光板の前記仮想中心軸から遠い端部側に設けられた複数の第１スライダからなる第１摺動部と、前記複数の遮光板の前記仮想中心軸に近い端部側に設けられた複数の第２スライダからなる第２摺動部とからなり、前記第１スライダ及び前記第２スライダは、隣接するスライダと常時少なくとも一部が重合することにより解決される。
【００１０】
このように構成すると、上下に隣接するスライダ間の重合する部分を連結することで、隣接する一方のスライダを移動させることにより他方のスライダを同時に移動させることができる。すなわち、複数のスライダのいずれか１つのスライダを移動させることで重合する複数のスライダを連続して移動させることが可能となる。
【００１１】
また、前記第１スライダ及び前記第２スライダは、前記遮光板と一体に形成されていると好適である。遮光板とその両端の第１スライダ及び第２スライダを一体に形成することで、部品点数を少なくすることができる。
【００１２】
また、前記保持部は、前記複数の第１スライダを保持する第１ハウジングと、前記複数の第２スライダを保持する第２ハウジングからなり、前記第１ハウジングには、前記第１スライダの厚さと略同一の高さの段差を有する複数の階段状の段差面が形成され、前記第２ハウジングには、前記第２スライダの厚さと略同一の高さの段差を有する複数の階段状の段差面が形成され、前記第１ハウジングに形成された前記複数の段差面の前記仮想中心軸と反対側に位置する端辺が、前記仮想中心軸を中心とした円弧状に形成されていると、より好適である。
【００１３】
このように、第１スライダ，第２スライダをそれぞれ保持する第１ハウジング，第２ハウジングに各スライダの厚さと略同一の高さの段差を有する階段状の段差面を形成して、遮光板の展開時に各スライダが各段差面に載置されるようにすると、各スライダが階段状に重合されて各遮光板が階段状に重合され、遮光板の適切な展開位置を確保することができる。さらに、第１ハウジングに形成された段差面の仮想中心軸と反対側の端辺を、仮想中心軸を中心とした円弧状に形成すると、遮光板を展開位置に移動するときに各第１スライドが移動して各段差面に載置され、円弧状に展開される。
【００１４】
このとき、前記駆動手段は、前記第１摺動部に設けられた駆動手段連結部により前記第１摺動部と連結され、前記第１摺動部の移動に追従して前記第２摺動部が移動するようにすると、より好適である。このようにすると、駆動手段を複数設ける必要がなく、構成が簡素化され、駆動手段の制御が容易になる。さらに、前記駆動手段にモータを備えると、遮光装置の開閉を自動化でき、操作性に優れたものとなる。
【００１５】
また、前記遮光板は、前記仮想中心軸側に向けて幅が徐々に狭くなる形状を有するようにするとよい。このような形状の遮光板を用いると、遮光板を展開したときに、仮想中心軸から遠い端部側の展開領域が広く、仮想中心軸に近い端部側の展開領域が狭く形成され、遮光板の両端部のそれぞれの円弧移動範囲に適合した展開領域を形成することができる。このときの遮光板を展開した形状は、仮想中心軸から遠い端部側の展開領域が略矩形をなし、仮想中心軸に近い端部側の展開領域が略三角形をなす形状となる。
【００１６】
前記遮光装置は、前記遮光板が車両のドアウィンドウの上端の形状と近似した形状に形成され、前記仮想中心軸から遠い端部側が車両のドアウィンドウの後方に配置され、前記遮仮想中心軸に近い端部側が車両のドアウィンドウの前方に配置されるようにして、車両のドアウィンドウの遮光装置として用いることができる。車両のドアウィンドウは、一般的に後方が略矩形で前方が三角形に近い形状をしているため、このように構成した遮光装置を配置することで、矩形や扇形のサンバイザでは遮光できない領域を遮光することが可能となり、遮光できない範囲を小さくすることができる。
【発明の効果】
【００１７】
本発明の遮光装置によれば、前方向と横方向の切り替えを不要とし、複雑な形状の車両ウィンドウ、特にドアウィンドウのガラスを覆って遮光できない範囲をできるだけ小さくすることができ、かつ未使用の遮光板の格納体積を小さくできる遮光装置を提供できる。
【発明を実施するための最良の形態】
【００１８】
以下、本発明の一実施形態について、図を参照して説明する。なお、以下に説明する部材、配置等は、本発明を限定するものではなく、本発明の趣旨に沿って各種改変することができることは勿論である。
図１〜図１１は本発明の一実施形態に係るものであり、図１は遮光装置をドアウィンドウに取付けた状態の説明図、図２は遮光装置の展開状態の斜視図、図３は遮光装置の格納状態の斜視図、図４は遮光板の重なり状態の説明図、図５は第１スライダの斜視図、図６は第１ハウジング及び第１スライダの展開状態の説明図、図７は第１ハウジングの部分拡大説明図、図８は第１スライダ及び遮光板の取付け説明図、図９は第２ハウジングと第２スライダの展開説明図、図１０は第２スライダの斜視図、図１１は遮光板の移動軌道の説明図である。
【００１９】
図１は本実施形態の遮光装置１を車両ＳのドアウィンドウＷに適用した状態を示している。本実施形態の遮光装置１は、図２に示すように、複数の遮光板１０と、遮光板１０の一方の端部と係合して摺動する第１摺動部２０と、他方の端部と係合して摺動する第２摺動部３０（図２では不図示）と、第１摺動部２０，第２摺動部３０をそれぞれ摺動可能に保持する保持部としての第１ハウジング４０，第２ハウジング５０と、第１摺動部２０を摺動させるための駆動手段としてのスクリューシャフト６０，スクリューナット６２，ギア７０，モータ８０を主要構成要素としている。
なお、遮光装置１の第１ハウジング４０は実際には後述する第１ハウジングカバー４９で表側の面を覆われており、第１摺動部２０及び駆動手段としてのスクリューシャフト６０，スクリューナット６２，ギア７０，モータ８０などは露出していなが、図２では構成の説明のため、第１ハウジングカバー４９を外した状態を図示している。
【００２０】
本実施形態の遮光装置１の遮光板１０は、可撓性を有する材料からなる６枚の遮光板１１〜１６から構成されている。遮光板１１〜１６は全て同一形状の同一部材からなり、本実施形態では第１ハウジング４０側の一方の端部１１ａ〜１６ａから第２ハウジング５０側の他方の端部１１ｂ〜１６ｂへ向けて緩やかに下る曲線形状をなし、その幅が他方の端部１１ｂ〜１６ｂへ向けて徐々に狭くなる形状に形成されている。なお、本実施形態の遮光板１０は合成樹脂製等の半透明の光透過板で形成されているが、完全遮光のものや光を透過させない材料に微細な孔を形成したものなどを用いてもよい。
【００２１】
遮光装置１は、図２で示すように遮光板１１〜１６を下方にスライドさせて展開し、展開位置まで移動させた展開状態と、図３で示すように遮光板１１〜１６を上方にスライドさせて重畳し、格納位置まで移動させた格納状態に切り替えが可能である。図４（ａ）は展開状態の遮光板１１〜１６の重なり部分の断面、図４（ｂ）は格納状態の遮光板１１〜１６の重なり部分の断面を示しており、展開状態及び格納状態において、遮光板１１が重なりの最も上に位置するように重畳している。なお、展開位置においては、遮光板１１〜１６の上下に隣接する遮光板の上端部、下端部がそれぞれ相互に一部重なった状態となっている。
【００２２】
本実施形態の第１摺動部２０は６個の第１スライダ２１〜２６から構成されており、６枚の遮光板１１〜１６の一方の端部１１ａ〜１６ａのそれぞれに形成された嵌合孔１１ｃ〜１６ｃに、第１スライダ２１〜２６のそれぞれに形成された嵌合突起２１ａ〜２６ａを嵌入して、第１スライダ２１〜２６と遮光板１１〜１６がそれぞれ連結されている。
【００２３】
本実施形態の第１摺動部２０を構成する第１スライダ２１〜２６は、図５（ａ），図５（ｂ）に示すように異なる形状を有する２種類の部材からなる。
図５（ａ）に示す第１スライダ２１は、図２で示す遮光装置１の展開状態において展開方向手前（図２中、下方向）、すなわち重なりの最も上に位置する遮光板１１と連結されるスライダである。第１スライダ２１は、略矩形で遮光板１１の板厚よりわずかに大きい厚さを有する部材であり、遮光板１１の一方の端部１１ａと連結される側には、遮光板１１の板厚と略同じ深さを有する切欠部２１ｋが形成されている。この切欠部２１ｋには２個の嵌合突起２１ａが設けられ、この嵌合突起２１ａが遮光板１１の一方の端部１１ａに形成された嵌合孔１１ｃと嵌合して、第１スライダ２１と遮光板１１が連結されている。また、第１スライダ２１の表面側には、後述する第１ハウジングカバー４９のガイド溝４９ａと係合するように、カバー係合突起２１ｃが２箇所に形成されており、背面側には、後述する重畳したときに下に位置する他の第１スライダ２２と係合するための係合突起２１ｂ（不図示）が形成されている。
【００２４】
さらにこの第１スライダ２１は、第１摺動部２０と駆動手段とを連結する駆動手段連結部であり、後述する駆動手段としてのスクリューナット６２と連結されるナット連結部２１ｄを備えている。ナット連結部２１ｄは第１スライダ２１の遮光板１１と反対側の端部に形成された２つの対向する突片からなり、図６に示すように、この２つの突片でスクリューナット６２を挟持している。
【００２５】
第１摺動部２０を構成するその他の第１スライダ２２〜２６は、図５（ｂ）に示す形状をしており、以下、第１スライダ２２を例として説明する。第１スライダ２２は、略矩形で遮光板１２の板厚よりわずかに大きい厚さを有する部材であり、遮光板１２の一方の端部１２ａと連結される側には、遮光板１２の板厚と略同じ深さを有する切欠部２２ｋが形成されている。この切欠部２２ｋには２個の嵌合突起２２ａが設けられ、この嵌合突起２２ａが遮光板１２の一方の端部１２ａに形成された嵌合孔１２ｃと嵌合して、第１スライダ２２と遮光板１２が連結されている。また、第１スライダ２２の背面側には、係合突起２２ｂが縦方向に２箇所に形成されており、表面側には、第２ハウジング５０よりも外側（図２中、右側）に仮想中心軸を有する円弧に沿う緩やかな円弧状で縦方向に長い係合溝２２ｃが形成されている。第１スライダ２１と第１スライダ２２を重畳したときに、この係合溝２２ｃに第１スライダ２１の背面側に形成された係合突起２１ｂが係合され、係合溝２２ｃの長さの範囲内で第１スライダ２１が第１スライダ２２上をスライドできるように構成されている。また、係合突起２２ｂは、第１スライダ２２と第１スライダ２３を重畳したときに、第１スライダ２２の下に位置する第１スライダ２３の係合溝２３ｃに係合され、同様に係合溝２３ｃの長さの範囲内で第１スライダ２２が第１スライダ２３上をスライドできるようになっている。
【００２６】
第１スライダ２１〜２６はこのように構成されているので、図４に示すように、第１スライダ２１〜２６を重畳して格納または展開した状態では、上下に連続する第１スライダ２１〜２５のそれぞれの背面側に形成されている係合突起２１ｂ〜２５ｂが隣り合う第１スライダ２２〜２６の表面側に形成されている係合溝２２ｃ〜２６ｃに係合することにより、第１スライダ２１〜２６が連結される。さらに、重なりの上に位置する第１スライダが下に位置する第１スライダの係合溝の範囲内、すなわち係合突起２１ｂ〜２５ｂがそれぞれ係合溝２２ｃ〜２６ｃの長さの範囲内でスライド可能に構成されており、展開方向（下方向）への移動時は、下に位置する係合突起２１ｂ〜２５ｂの下端と、係合溝２２ｃ〜２６ｃの下面が当接することで、第１スライダ２１〜２５のスライドが阻止されて停止する。
なお、第１スライダ２６の背面側に形成された係合突起２６ｂは、後述する第１ハウジング本体４１のスライド面４２ｆに形成された係合溝４３と係合してスライド面上をスライドするものである。
【００２７】
さらに、第１スライダ２２の、遮光板１２と反対側の側面端部上側には、縦長に突出したガイド突起２２ｄが形成されている。このガイド突起２２ｄは、後述する第１ハウジング本体４１に形成されたスライド溝４７ｂに係合させて第１スライダ２２をスライドさせるためのものである。
【００２８】
本実施形態の第１ハウジング４０は、第１ハウジング本体４１と、第１ハウジングカバー４９からなる。図６及び図７に示すように、第１ハウジング本体４１は、背面４１Ｈと、上面４１Ｔと、遮光板１０と反対側の側面４１Ｓと、遮光板１０側に階段状に形成された側面４１Ｋとで囲まれている。また、この階段状の側面４１Ｋの長手方向の各段に垂直かつ背面４１Ｈと略平行で背面４１Ｈからの高さが段階的に異なる複数の段差面からなるスライド面４２ａ〜４２ｆが形成されている。さらにこのスライド面４２ａ〜４２ｆの遮光板１０と反対側には、隣接して長手方向に突出した壁部４６が形成され、この壁部４６のスライド面４２ａ〜４２ｆに対して垂直方向には、案内面４７が形成されている。また壁部４６の遮光板１０と反対側に、スクリューシャフト６０を格納するための凹部、スクリュー格納部４８ａが形成されている。
【００２９】
スライド面４２ａ〜４２ｆは展開状態で第１スライダ２１〜２６が載置される面であり、スライド面４２ｆが背面４１Ｈから最も低い高さを有し、スライド面４２ｅ，４２ｄ，４２ｃ，４２ｂ，４２ａの順に段上面が背面４１Ｈから高くなるように形成されている。また、それぞれの隣り合うスライド面の段差は、第１スライダ２１〜２６の厚さと略同一である。図７に示すように、スライド面４２ａの面は、階段状の側面４１Ｋに垂直に隣接して形成された長手方向に縦長の面で側面４１Ｋから所定の幅を有する案内部４２ａ１と、該案内部４２ａ１から案内面４７側へ連続した案内部４２ａ２とで構成された、略Ｌ字状の面である。案内部４２ａ１の下側端部は後述するスライド受け部４５ａに連続し、案内面４７側へ連続した案内面４２ａ２の下側端部は後述するスライド受け部４４ａに連続している。
【００３０】
スライド面４２ｂ〜４２ｆの面は、階段状の側面４１Ｋに垂直に隣接して形成された長手方向に縦長の面で側面４１Ｋから所定の幅を有する案内部４２ｂ１〜４２ｆ１と、該案内部４２ｂ１〜４２ｆ１から案内面４７側へ連続した連続面部４２ｂ３〜４２ｆ３と、連続面部４２ｂ３〜４２ｆ３を介して連続し長手方向に縦長に形成された案内部４２ｂ２〜４２ｆ２とで構成された、略Ｚ字状の面である。案内部４２ｂ１〜４２ｆ１の下側端部は後述するスライド受け部４５ｂ〜４５ｆに連続し、案内面４７側へ連続した案内面４２ｂ２〜４２ｆ２の下側端部は後述するスライド受け部４４ｂ〜４４ｆに連続している。
【００３１】
各スライド面４２ａ〜４２ｆの案内部４２ａ２〜４２ｆ２の、遮光装置１の展開方向（図７中、下方向）の端部側の形状は、載置される第１スライダ２１〜２６の下端部側の形状と略同一形状となっている。すなわち、スライド面４２ａの案内部４２ａ２の下端部側の形状は、第１スライダ２１の下端部側の形状と略同じ形状であり、スライド面４２ｂの案内部４２ｂ２の下端部側の形状は、第１スライダ２２の下端部側の形状と略同じ形状である。同様に、スライド面４２ｃ〜４２ｆの案内部４２ｃ２〜４２ｆ２の下端部側の形状は、第１スライダ２３〜２６の下端部側の形状と略同じ形状をしている。また、スライド面４２ｆには、第１スライダ２６の背面側に形成されている係合溝２６ｃと係合して第１スライダ２６をスライドさせるための係合溝４３が設けられている。
【００３２】
なお、各スライド面４２ａ〜４２ｆは、案内部４２ａ２〜４２ｆ２の遮光板１１〜１６と反対側の端辺がそれぞれ第１ハウジング本体４１の長手方向に対して、第２ハウジング５０よりも外側（図２中、右側）に仮想中心軸を有する円弧上に配置されるように形成されている。すなわち、壁部４６の案内面４７が緩やかな円弧状に形成されており、この案内面４７と隣接する各スライド面４２ａ〜４２ｆの端辺が円弧を描くように形成されている。このように、第１ハウジング本体４１の長手方向に対して円弧上に形成されたスライド面４２ａ〜４２ｆ及び案内面４７に沿ってスライダ２１〜２６がスライドするため、スライダ２１〜２６は円弧上をスライド移動する。
【００３３】
各スライド面４２ａ〜４２ｆの隣り合う段面の段差（高さ）を形成している面は、第１スライダ２１〜２６が格納位置から展開位置へスライドする際の係止部となるスライド受け部４４ａ〜４４ｆ，４５ａ〜４５ｆを形成している。図６で示すように、遮光板１１〜１６が展開位置にあるときは、第１スライダ２１〜２６及び遮光板１１〜１６がスライド面４２ａ〜４２ｆとスライド受け部４４ａ〜４４ｆ，４５ａ〜４５ｆに当接し、かつ各第１スライダ２１〜２６が順次重なるように配設される。より具体的には、第１スライダ２６がスライド面４２ｆ上に配置され、第１スライダ２６の下端部がスライド受け部４４ｆに当接し、第１スライダ２６と連結された遮光板１６の一方の端部１６ａの下端部がスライド受け部４５ｆに当接するように配設されている。第１スライダ２６がこの位置に配設された状態では、第１スライダ２６の表面と隣接するスライド面４２ｅは略面一となっている。
【００３４】
さらに、第１スライダ２６とスライド面４２ｅで形成された面の上には、第１スライダ２５が、第１スライダ２６の係合溝２６ｃに第１スライダ２５の係合突起２５ｂを係合して重なっている。また、第１スライダ２５の下端部がスライド受け部４４ｅに当接し、第１スライダ２５と連結された遮光板１５の一方の端部１５ａの下端部がスライド受け部４５ｅに当接するように配設されている。第１スライダ２５がこの位置に配設された状態では、第１スライダ２５の表面と隣接するスライド面４２ｄは略面一となっている。
同様に、第１スライダ２４，２３，２２，２１の順で、スライド面４２ｄ，４２ｃ，４２ｂ，４２ａ上に各第１スライダ２４〜２１が配設される。
【００３５】
図８は、上述した第１スライダ及び遮光板とスライド受け部との当接状態を説明するために、第１スライダ２１，２２を取外した状態を示した図である。このように、第１スライダ２３の下端部とスライド受け部４４ｃが当接し、第１スライダ２３と連結された遮光板１３の一方の端部１３ａの下端部とスライド受け部４５ｃが当接する。また、第１スライダ２３の表面と隣り合うスライダ面４２ｂは略面一となっている。
図８では第１スライダ２３の例を示したが、その他の第１スライダ２１，２２，２４〜２６も同様の状態でスライド面４２ａ，４２ｂ，４２ｄ〜４２ｆ上に配設される。
【００３６】
このように、遮光板１１〜１６が展開位置にあるときは、各第１スライダ２１〜２６の下端部はスライド受け部４４ａ〜４４ｆと当接し、遮光板１１〜１６の一方の端部１１ａ〜１６ａの下端部はスライド受け部４５ａ〜４５ｆと当接するため、それ以上展開方向（下方向）へ移動することができない。すなわち、スライド受け部４４ａ〜４４ｆ，４５ａ〜４５ｆは、第１スライダ２１〜２６のスライドを阻止するストッパの機能を果たしている。
【００３７】
なお、各スライド面の遮光板と当接するスライド受け部から、隣り合うスライド面の遮光板と当接するスライド受け部までの長さ、例えばスライド面４２ｂのスライド受け部４５ｂ〜４５ｃの長さを、遮光板１２の幅よりわずかに短く形成しておくと、遮光板１１〜１６を展開したときに、各遮光板１１〜１６の上端部と下端部が重なって隙間ができず、遮光板１１〜１６の間から光が直接漏れることなく確実に遮光できる。
【００３８】
第１ハウジング本体４１には、スライド面４２ａ〜４２ｆの遮光板１０と反対側に隣接して長手方向に突出した壁部４６が形成されており、壁部４６のスライド面４２ａ〜４２ｆに対して垂直方向を向く案内面４７は、第２ハウジング５０よりも外側（図２中、右側）に仮想中心軸を有する円弧の形状を有している。また、この案内面４７には５本のスライド溝４７ｂ〜４７ｆが形成されている。スライド溝４７ｂ〜４７ｆは第１スライダ２２〜２６がスライドするときのガイド溝であり、第１スライダ２２〜２６のガイド突起２２ｄ〜２６ｄがそれぞれスライド溝４７ｂ〜４７ｆに係合されて、溝に沿って第１スライダ２２〜２６が円弧移動する。このスライド溝４７ｂ〜４７ｆは、案内面４７と上面４１Ｔの内面の接合位置近傍から形成され、それぞれの溝に係合する第１スライダ２２〜２６が展開位置、すなわち第１スライダ２２〜２６の下端部がそれぞれスライド受け部４４ａ〜４４ｆに当接する位置まで移動する長さに形成されている。第１スライダ２２〜２６が展開位置まで移動すると、このように形成されたスライド溝４７ｂ〜４７ｆの下端と、係合する第１スライダ２２〜２６のガイド突起２２ｄ〜２６ｄの下端が当接し、展開方向（下方向）へのスライドが阻止されて停止する。
【００３９】
このスライド溝４７ｂ〜４７ｆの下端とガイド突起２２ｄ〜２６ｄの下端との当接、及び上述した第１スライダ２１〜２６の係合突起２１ｂ〜２５ｂの下端と係合溝２２ｃ〜２６ｃの下面との当接、並びに第１スライダ２１〜２６の下端とスライド受け部４４ａ〜４４ｆとの当接，遮光板１１〜１６の一方の端部１１ａ〜１６ａの下端とスライド受け部４５ａ〜４５ｆとの当接のそれぞれの当接が、第１スライダ２１〜２６の展開方向（下方向）へのスライドを阻止するストッパ機能を果たしている。
なお、本実施形態においては上記各部材が当接することで展開方向へのスライドが停止するように構成しているが、これに限られず、少なくともいずれか１つの部材の組合せが当接し、スライドを停止できるストッパ機能を果たすように構成されていればよい。
【００４０】
第１ハウジング本体４１には、さらに壁部４６の遮光板１０と反対側に、スクリューシャフト６０を格納するための凹部、スクリュー格納部４８ａが形成されており、このスクリュー格納部４８ａにスクリューシャフト６０が配設されている。また、スクリュー格納部４８ａの上側には第１ハウジングカバー４９を取付けるときに第１ハウジングカバー４９の裏面（第１ハウジング本体４１に取付けたときに内側を向く面）に設けられている係止爪（不図示）を嵌入するためのカバー取付孔４８ｂが形成されている。また、第１ハウジングカバー４９の裏面には、第１スライダ２１の表面側に形成されたカバー係合突起２１ｃと係合して第１スライダ２１のスライドをガイドするガイド溝４９ａが形成されている。
【００４１】
第２摺動部３０は遮光板１０を介して第１摺動部２０と連結されており、第１摺動部２０の上下の円弧移動に追従して第２摺動部３０が上下に移動するように構成されるものである。本実施形態の第２摺動部３０は、図９に示すように、６個の第２スライダ３１〜３６から構成されており、６枚の遮光板１１〜１６の他方の端部１１ｂ〜１６ｂのそれぞれに形成された嵌合孔１１ｄ〜１６ｄに、第２スライダ３１〜３６のそれぞれに形成された嵌合突起３１ａ〜３６ａを嵌入して、第２スライダ３１〜３６と遮光板１１〜１６がそれぞれ連結されている。
【００４２】
本実施形態の第２摺動部３０を構成する第２スライダ３１〜３６は、図１０（ａ），図１０（ｂ）に示すように異なる形状を有する２種類の部材からなる。
図１０（ａ）に示す第２スライダ３１は、図２で示す遮光装置１の展開状態において展開方向手前（図２中、下方向）、すなわち重なりの最も上に位置する遮光板１１と連結されるスライダである。第２スライダ３１は、略矩形で遮光板１１の板厚よりわずかに大きい厚さを有する部材であり、遮光板１１の他方の端部１１ｂと連結される側には、遮光板１１の板厚と略同じ深さを有する切欠部３１ｋが形成されている。この切欠部３１ｋには２個の嵌合突起３１ａが設けられ、この嵌合突起３１ａが遮光板１１の他方の端部１１ｂに形成された嵌合孔１１ｄと嵌合して、第２スライダ３１と遮光板１１が連結されている。また、第２スライダ３１の表面側には、後述する第２ハウジングカバー５７のガイド溝５９と係合するように、カバー係合突起３１ｃが形成されており、背面側には、後述する重畳したときに下に位置する他の第２スライダ３２と係合するための係合突起３１ｂが形成されている。
【００４３】
第２摺動部３０を構成するその他の第２スライダ３２〜３６は、図１０（ｂ）に示す形状をなしており、以下、第２スライダ３２を例として説明する。第２スライダ３２は合成樹脂等の材料で形成され、略矩形で遮光板１２の板厚よりわずかに大きい厚さを有する部材であり、遮光板１２の他方の端部１２ｂと連結される側には、遮光板１２の板厚と略同じ深さを有する切欠部３２ｋが形成されている。この切欠部３２ｋには２個の嵌合突起３２ａが設けられ、この嵌合突起３２ａが遮光板１２の他方の端部１２ｂに形成された嵌合孔１２ｄと嵌合して、第２スライダ３２と遮光板１２が連結されている。また、第２スライダ３２の背面側には、係合突起３２ｂが形成されており、表面側には、第２ハウジング５０よりも外側（図２中、右側）に仮想中心軸を有する円弧に沿う緩やかな円弧状で横方向に長い係合溝３２ｃが形成されている。第２スライダ３１と第２スライダ３２を重畳したときに、この係合溝３２ｃに第２スライダ３１の背面側に形成された係合突起３１ｂが係合され、係合溝３２ｃの長さの範囲内で第２スライダ３１が第２スライダ３２上をスライドできるように構成されている。また、係合突起３２ｂは、第２スライダ３２と第２スライダ３３を重畳したときに、第２スライダ３２の下に位置する第２スライダ３３の係合溝３３ｃに係合され、同様に係合溝３３ｃの長さの範囲内で第２スライダ３２が第２スライダ３３上をスライドできるようになっている。
【００４４】
また、第２スライダ３１は、第２スライダ３２〜３６に比して切欠されていない部分の長さが短く、第２スライダ３１が第２スライダ３２の上を遮光板１１と反対方向（図９中、右側）にスライドしたときに、第２スライダ３１の切欠部と反対側の端面３１ｄと、第２スライダ３２の切欠部と反対側の端面３２ｄが略面一になるように形成されている。
【００４５】
第２スライダ３１〜３６はこのように構成されているので、第２スライダ３１〜３６を重畳して格納または展開した状態した状態では、上下に連続する第２スライダ３１〜３５のそれぞれの背面側に形成されている係合突起３１ｂ〜３５ｂが隣り合う第２スライダ３２〜３６の表面側に形成されている係合溝３２ｃ〜３６ｃに係合することにより、第２スライダ３１〜３６が連結される。さらに、重なりの上に位置する第２スライダが下に位置する第２スライダの係合溝の範囲内、すなわち係合突起３１ｂ〜３５ｂが係合溝３２ｃ〜３６ｃの長さの範囲内でスライド可能に構成されており、展開方向（右方向）への移動時は、下に位置する係合突起３１ｂ〜３５ｂの右端と、係合溝３２ｃ〜３６ｃの右面が当接する。この当接が第２スライダ３１〜３５のストッパの機能を果たし、第２スライダ３１〜３５の展開方向へのスライドが阻止されて停止する。
なお、第２スライダ３６の背面側に形成された係合突起３６ｂは、後述する第２ハウジング本体５１のスライド面５２ｅに形成された係合溝５３と係合してスライド面上をスライドするものである。
【００４６】
本実施形態の第２ハウジング５０は、図９に示すように、第２ハウジング本体５１と、第２ハウジングカバー５７からなり、通常時は遮光板１１〜１６と連結された第２スライダ３１〜３６を第２ハウジング本体５１内に収容し、第２ハウジングカバー５７で第２ハウジング本体５１の上面及び前面を覆ってなる箱型のケースである。
【００４７】
第２ハウジング本体５１は、背面５１Ｈと底面５１Ｂと一方の側面５１Ｓで囲まれており、背面５１Ｈと略平行で背面５１Ｈからの高さが段階的に異なる複数の段差面からなるスライド面５２ａ〜５２ｅが形成されている。スライド面５２ｅが背面５１Ｈから最も低い高さを有し、スライド面５２ｄ，５２ｃ，５２ｂ，５２ａの順に段上面が背面５１Ｈから高くなるように形成されている。このスライド面５２ａ〜５２ｅは展開状態で第２スライダ３２〜３６が載置される面であり、それぞれの隣り合うスライド面の段差は、第１スライダ３３〜３６の厚さと略同一である。さらに、側面５１Ｓと隣接し背面５１Ｈと反対側の当接面５６は、第２ハウジングカバー５７を取着したときに第２ハウジングカバー５７と当接する面である。この当接面５６とスライド面５２ａとの段差は、第２スライダ３１と第２スライダ３２の厚さを合わせたものと略同一となっている。
【００４８】
スライド面５２ｅには、第２スライダ３６の背面側に形成されている係合溝３６ｂと係合して第２スライダ３６をスライドさせるための係合溝５３と、第２ハウジングカバー５７を取付けるねじ等の固着部材を挿入するための２つのねじ孔５４が設けられている。また、スライド面５２ａ〜５２ｄは矩形であり、底面５１Ｂから上方向への距離は遮光板１０の幅と略同一となっている。
【００４９】
当接面５６とスライド面５２ａの段差（高さ）を形成している面、及び各スライド面５２ａ〜５２ｅの隣り合う段面の段差（高さ）を形成している面は、第２スライダ３１〜３６が格納位置から展開位置へスライドする際の係止部となるスライド受け部５５ａ〜５５ｅを形成している。遮光板１１〜１６が展開位置にあるときは、第２スライダ３２〜３６の背面がそれぞれスライド面５２ａ〜５２ｅと当接し、第２スライダ３２〜３６の切欠部３２ｋ〜３６ｋと長手方向反対側の端面３２ｄ〜３６ｄが、それぞれスライド受け部５５ａ〜５５ｅに当接している。また、上述したように第２スライダ３１は切欠されていない部分の長さが短く、第２スライダ３２に重畳した状態で端面３１ｄが第２スライダ３２の端面３２ｄと略面一になるように重畳しており、端面３１ｄもスライド受け部５５ａに当接している。このとき、第２スライダ３１〜３６はそれ以上展開方向（図９中、右方向）へ移動することができず、スライド受け部５５ａ〜５５ｅは、第２スライダ３１〜３６のスライドを阻止するストッパの機能を果たしている。
なお、本実施形態では、第２スライダ３１〜３６とスライド受け部５５ａ〜５５ｅとの当接、及び上述した係合突起３１ｂ〜３５ｂと係合溝３２ｃ〜３６ｃとの当接のそれぞれが展開方向のスライドのストッパとなるように構成しているが、これに限られず、少なくともいずれか一方の部材の組合せが当接し、スライドを停止できるストッパ機能を果たすように構成されていればよい。
【００５０】
第２ハウジングカバー５７には、第２スライダ３１及び遮光板１１と対向する面に、第２スライダの表面側に形成されたカバー係合突起３１ｃと係合して第２スライダ３１のスライドをガイドするガイド溝５９が形成されている。また、第２ハウジング本体のスライド面５２ｅと当接する面に、固着具を挿入するためのねじ孔５８が形成されており、第２ハウジング本体５１に形成されたねじ孔５４とこのねじ孔５８にねじを連通して、第２ハウジング本体５１と第２ハウジングカバー５７を接合する。
【００５１】
本実施形態の駆動手段は、スクリューシャフト６０，スクリューナット６２，ギア７０，モータ８０から構成されている。
スクリューシャフト６０は、外周に螺旋状の溝が形成された丸棒状の軸であり、内周にスクリューシャフト６０の溝と螺合する溝が形成されたスクリューナット６２が取付けられ、スクリューシャフト６０の回転により、スクリューナット６２が上下に移動可能に構成されている。また、スクリューナット６２には、上述したように第１スライダ２１がナット連結部２１ｄにより連結されている。スクリューシャフト６０は第１ハウジング本体４１のスクリュー格納部４８ａに格納されており、スクリューシャフト６０の下側には減速手段としてのギア７０、駆動源としてのモータ８０が接続されている。本遮光装置１のモータ８０は、正逆回転可能なモータを使用している。さらにモータ８０には、図示しない制御装置及び操作スイッチが接続されている。
【００５２】
次に、上記構成からなる遮光装置１の動作について説明する。
遮光装置１は、主に車両のドアウィンドウに取付けて遮光板１０（１１〜１６）を開閉してサンバイザとして使用する装置であり、取付け時には図１に示すように、第１ハウジング４０，第２ハウジング５０はドアウィンドウの上方両側面のトリム内に収容され、露出していない。また、未使用時には、図３に示すように遮光板１１〜１６の第１ハウジング４０側の一方の端部１１ａ〜１６ａが全てスライド面４２ｆの上側（格納位置）まで移動して重畳している。この格納位置がドアウィンドウの上端部より上方になるように遮光装置１を取付けると、遮光装置１の未使用時には外から遮光装置１が目視されず、外観に優れたものとなる。
【００５３】
遮光装置１を格納位置から展開させるときには、図示しない操作スイッチを操作して展開指示を出すことで、制御装置を介してモータ８０を展開方向に回転させるための命令が送信され、モータ８０を回転させる。そして、モータ８０の回転駆動がギア７０を介してスクリューシャフト６０を回転させる。スクリューシャフト６０の回転により、スクリューシャフト６０の外周の溝と螺合しているスクリューナット６２が展開方向（下方向）へ移動する。
【００５４】
スクリューナット６２が下へ移動すると、スクリューナット６２に連結されている第１スライダ２１が同時に下へ移動する。第１スライダ２１の係合突起２１ｂが下に重畳している第１スライダ２２の係合溝２２ｃと係合しているため、第１スライダ２１の係合突起２１ｂが第１スライダ２２の係合溝２２ｃ内をスライドして係合溝２２ｃの下端部まで移動したとき、第１スライダ２２は第１スライダ２１に牽引され、ガイド突起２２ｄが案内面４７のスライド溝４７ｂに沿ってスライドしながら下へ移動する。
【００５５】
同様に、第１スライダ２２が第１スライダ２３を牽引し、第１スライダ２３が第１スライダ２４を牽引し、第１スライダ２４が第１スライダ２５を牽引し、第１スライダ２５が第１スライダ２６を牽引して下へ移動し、第１スライダ２３〜２６のガイド突起２３ｄ〜２６ｄが、それぞれ案内面４７のスライド溝４７ｃ〜４７ｆに沿って下へスライドする。また、第１スライダ２１〜２６の下への移動に伴い、第１スライダ２１〜２６に連結された遮光板１１〜１６が展開位置へ移動する。
【００５６】
このとき、第１スライダ２１〜２６は、円弧状に形成された案内面４７に沿って円弧移動し、その格納位置から展開位置への移動軌跡は、図１１に示すように、第２ハウジング５０よりも外側（第２ハウジング５０からみた第１ハウジング４０と反対側）に位置する仮想中心軸Ｐを中心とした半径αの円弧Ｘ−Ｘとなる。
【００５７】
本遮光装置１では、遮光板１０を介して第１摺動部２０（第１スライダ２１〜２６）と第２摺動部３０（第２スライダ３１〜３６）が連結されており、駆動手段により第１摺動部２０が上下に円弧移動すると、遮光板１０及び第２摺動部３０が追従して上下に移動するように構成されている。具体的には、図１１に示すように、第１摺動部２０の移動に伴って、第２摺動部３０が同一の仮想中心軸Ｐを中心として半径βがαより小さい円弧Ｙ−Ｙ上を円弧移動するように構成されている。従って、第１スライダ２１〜２６が上述のように格納位置から展開位置まで円弧Ｘ−Ｘ上を円弧移動すると、第２スライダ３１〜３６は円弧Ｙ−Ｙ上を格納位置から展開位置まで移動する。
【００５８】
スライド面４２ａ〜４２ｆはその段差（高さ）が略第１スライダ２１〜２６の厚さと同じ高さを有する連続した階段状の面であるので、第１スライダ２１〜２６はそれぞれが載置されるスライド面４２ａ〜４２ｆまで、他のスライド面に移動を阻止されることなく下へ移動することができる。第１スライダ２１〜２６がそれぞれ載置されるスライド面４２ａ〜４２ｆまで移動したとき、第１スライダ２１〜２６及び遮光板１１〜１６の下端部がスライド受け部４４ａ〜４４ｆ及び４５ａ〜４５ｆに当接し、それ以上下方向には移動できないため、第１スライダ２１〜２６のスライドが停止される。
【００５９】
遮光装置１を展開位置から格納位置に移動させるときには、展開時と反対の動作となる。図示しない操作スイッチを操作して格納指示を出すことで、制御装置を介してモータ８０を格納方向に回転させるための命令が送信され、モータ８０を展開時と反対方向に回転させ、モータ８０の回転駆動がギア７０を介してスクリューシャフト６０を展開時と反対方向に回転させる。スクリューシャフト６０の回転により、スクリューナット６２が格納方向（上方向）へ移動し、スクリューナット６２に連結されている第１スライダ２１が同時に上へ移動する。
【００６０】
第１スライダ２１の係合突起２１ｂが下に重畳している第１スライダ２２の係合溝２２ｃ内をスライドして係合溝２２ｃの上端部まで移動したとき、第１スライダ２２は第１スライダ２１に牽引され、ガイド突起２２ｄが案内面４７のスライド溝４７ｂに沿ってスライドしながら上へ移動する。同様に、第１スライダ２３〜２６が上に重畳している第１スライダ２２〜２５に牽引されて、それぞれ案内面４７のスライド溝４７ｃ〜４７ｆに沿って上へスライドし、図３に示すように、全ての遮光板１１〜１６が一体に重畳し、第１ハウジング４０の上端の格納位置まで移動して停止する。
【００６１】
このときの第１スライダ２１〜２６は、図１１に示す仮想中心軸Ｐを中心とした半径αの円弧Ｘ−Ｘ上を上へ円弧移動し、第１スライダ２１〜２６の移動に伴って、第２スライダ３１〜３６が同一の仮想中心軸Ｐを中心としてαより小さい半径βの円弧Ｙ−Ｙ上を上へ円弧移動する。
【００６２】
このように、遮光板１０の一方の端部１１ａ〜１６ａの円弧移動が他方の端部１１ｂ〜１６ｂの円弧移動よりも半径が大きいため、大きな半径の円弧を円弧移動する一方の端部１１ａ〜１６ａ側に駆動手段を設けて一方の端部１１ａ〜１６ａを移動させることで、円弧移動の小さい他方の端部１１ｂ〜１６ｂを連動して安定して移動させることができる。
【００６３】
また、このように同一の仮想中心軸Ｐを中心として、遮光板１０の一方の端部が大きな径の円弧を移動し、他方の端部が小さな径の円弧を移動するようにしたので、ドアウィンドウＷのような、後方が略矩形で前方が略三角形の形状を有するウィンドウに取付ける場合に、大きな径の円弧移動を行う端部を略矩形の側に配置し、小さな径の円弧移動を行う端部を略三角形の側に配置して取付けることで、ウィンドウの形状に合わせて遮光板を展開することができる。このような複雑な形状のウィンドウに合わせた遮光領域が形成できるため、遮光できない領域を小さくすることができる。
【００６４】
本実施形態では、遮光板１１〜１６は全て同一形状の同一部材から構成したので、配置位置によって異なる形状の部材を用意する場合に比して、部品点数を減らすことができる。なお、遮光板の両端部が上述したような円弧を移動するように構成されていれば、展開時に適切な展開領域が形成できるように、遮光板の一部を切欠したりして、多少異なる形状の遮光板を複数組み合わせるようにしてもよい。また、遮光板の厚さを異ならせてもよい。
【００６５】
また、本実施形態では、遮光板１０の両端に設けられた第１スライダ２１〜２６，第２スライダ３１〜３６の厚さを遮光板１１〜１６の厚さよりもやや厚く形成したので、遮光板１１〜１６のそれぞれの間にわずかな隙間が形成され、展開状態でも遮光板の間の空気の流通が確保される。また、展開状態で強力な日ざしを受けた場合でも、遮光板同士の張り付きを防止することができる。
【００６６】
このように、第１摺動部２０，第２摺動部３０をそれぞれ遮光板１１〜１６とは別部材の第１スライダ２１〜２６，第２スライダ３１〜３６としたが、遮光板１１〜１６のそれぞれの端部を変形し、第１スライダ２１〜２６，第２スライダ３１〜３６と同様の形状に形成した遮光板を用いてもよい。このとき、両端部の厚みを遮光部より多少厚く形成することで、前述したのと同様の効果が得られる。
【００６７】
また、本実施形態では、遮光板１０、第１摺動部２０、第２摺動部３０をそれぞれ６枚の遮光板、６個の第１スライダ、６個の第２スライダから形成したが、各部材の数はこれに限られず任意であり、適切に遮光領域を形成できるように構成すればよい。
【００６８】
本実施形態の駆動手段では、スクリューシャフト及びスクリューナットを用いたが、これに限られず上下に移動できる構成であればよく、例えばスパイラルケーブルやフレキシブルラック、ワイヤ等を用いて第１スライダを移動させてもよい。
【００６９】
以上のように、本発明の遮光装置によれば、使用するウィンドウの形状に合わせて遮光板の両端の円弧移動距離をそれぞれ異ならせることにより、遮光できない領域をできるだけ小さくすることができる。特に、ドアウィンドウのような複雑な形状のウィンドウを確実に遮光することができる。また、格納時には外部から目視されない格納位置に小さく格納することができ、外観上好適な遮光装置を提供できる。
【図面の簡単な説明】
【００７０】
【図１】本発明の遮光装置をドアウィンドウに取付けた状態の説明図である。
【図２】本発明の遮光装置の展開状態の斜視図である。
【図３】本発明の遮光装置の格納状態の斜視図である。
【図４】本発明の遮光装置の遮光板の重なり状態の説明図である。
【図５】本発明の遮光装置の第１スライダの斜視図である。
【図６】本発明の遮光装置の第１ハウジング及び第１スライダの展開状態の説明図である。
【図７】本発明の遮光装置の第１ハウジングの部分拡大説明図である。
【図８】本発明の遮光装置の第１スライダ及び遮光板の取付け説明図である。
【図９】本発明の遮光装置の第２ハウジングと第２スライダの展開説明図である。
【図１０】本発明の遮光装置の第２スライダの斜視図である。
【図１１】本発明の遮光装置の遮光板の移動軌道の説明図である。
【符号の説明】
【００７１】
１・・遮光装置、１０（１１〜１６）・・遮光板、１１ａ〜１６ａ・・一方の端部、
１１ｂ〜１６ｂ・・他方の端部、１１ｃ〜１６ｃ，１１ｄ〜１６ｄ・・嵌合孔、
２０・・第１摺動部、２１・・第１スライダ（駆動手段連結部）、
２１ａ・・嵌合突起、２１ｂ・・係合突起、２１ｃ・・カバー係合突起、
２１ｄ・・ナット連結部、２１ｋ・・切欠部、
２２〜２６・・第１スライダ、２２ａ〜２６ａ・・嵌合突起、
２２ｂ〜２６ｂ・・係合突起、２２ｃ〜２６ｃ・・係合溝、
２２ｄ〜２６ｄ・・ガイド突起、２２ｋ〜２６ｋ・・切欠部、
３０・・第２摺動部、３１・・第２スライダ、
３１ａ・・嵌合突起、３１ｂ・・係合突起、３１ｃ・・カバー係合突起、
３１ｄ・・端面、２１ｋ・・切欠部、
３２〜３６・・第２スライダ、３２ａ〜３６ａ・・嵌合突起、
３２ｂ〜３６ｂ・・係合突起、３２ｃ〜３６ｃ・・係合溝、
３２ｄ〜３６ｄ・・端面、３２ｋ〜３６ｋ・・切欠部、
４０・・第１ハウジング、４１・・第１ハウジング本体、
４１Ｈ・・背面、４１Ｔ・・上面、４１Ｓ，４１Ｋ・・側面、
４２ａ〜４２ｆ・・スライド面、４２ａ１〜４２ｆ１、４２ａ２〜４２ｆ２・・案内部、
４２ａ３〜４２ｆ３・・連続面部、４３・・係合溝、
４４ａ〜４４ｆ，４５ａ〜４５ｆ・・スライド受け部、
４６・・壁部、４７・・案内面、４７ｂ〜４７ｆ・・スライド溝、
４８ａ・・スクリュー格納部、４８ｂ・・カバー取付孔、
４９・・第１ハウジングカバー、４９ａ・・ガイド溝、
５０・・第２ハウジング、５１・・第２ハウジング本体、
５１Ｈ・・背面、５１Ｂ・・底面、５１Ｓ・・側面、
５２ａ〜５２ｅ・・スライド面、５３・・係合溝、５４・・ねじ孔、
５５ａ〜５５ｅ・・スライド受け部、５６・・当接面、
５７・・第２ハウジングカバー、５８・・ねじ孔、５９・・ガイド溝、
６０・・スクリューシャフト、６２・・スクリューナット、
７０・・ギア、８０・・モータ、
Ｓ・・車両、Ｗ・・ドアウィンドウ、
Ｐ・・仮想中心軸、Ｘ，Ｙ・・円弧、α，β・・円弧の径
【図１】
2008265622.tif 000003
【図２】
2008265622.tif 000004
【図３】
2008265622.tif 000005
【図４】
2008265622.tif 000006
【図５】
2008265622.tif 000007
【図６】
2008265622.tif 000008
【図７】
2008265622.tif 000009
【図８】
2008265622.tif 000010
【図９】
2008265622.tif 000011
【図１０】
2008265622.tif 000012
【図１１】
2008265622.tif 000013